(57)【要約】【課題】  低消費電力、高速の積算装置及び積算方法を提供する。【解決手段】  物理量を検出して電気信号に変換し、前記電気信号の積算値を生成するフィールド機器の積算装置において、クロックに基づき前記電気信号を固定小数点演算で積算する第１積算カウンタと、前記第１積算カウンタの出力が所定値を越えることを判定する比較器と、前記比較器の出力を積算し、前記積算値を出力する第２積算カウンタと、を備えると共に、前記第１積算カウンタは、前記第１積算カウンタの出力が前記所定値を越えるとき、前記第１積算カウンタに格納される値から前記所定値を減算することを特徴とする積算装置。【選択図】                    図１
2005265426.tif 000002
【特許請求の範囲】
【請求項１】
物理量を検出して電気信号に変換し、前記電気信号の積算値を生成するフィールド機器の積算装置において、
クロックに基づき前記電気信号を固定小数点演算で積算する第１積算カウンタと、
前記第１積算カウンタの出力が所定値を越えることを判定する比較器と、
前記比較器の出力を積算し、前記積算値を出力する第２積算カウンタと、を備えると共に、
前記第１積算カウンタは、前記第１積算カウンタの出力が前記所定値を越えるとき、前記第１積算カウンタに格納される値から前記所定値を減算することを特徴とする積算装置。
【請求項２】
所定の時間毎に前記第１積算カウンタに格納される値をリセットするタイマを備えることを特徴とする請求項１記載の積算装置。
【請求項３】
前記第１積算カウンタは前記比較器の出力に基づき前記第１積算カウンタに格納される値から前記所定値を減算し、
前記タイマは前記比較器の出力に基づきクリアされることを特徴とする請求項２記載の積算装置。
【請求項４】
前記所定値は、前記積算値の表示分解能に基づく値とすることを特徴とする請求項１または請求項３の何れかに記載の積算装置。
【請求項５】
物理量を検出して電気信号に変換し、前記電気信号の積算値を生成するフィールド機器の積算装置において、
クロックに基づき前記電気信号を固定小数点演算で積算する第１積算カウンタと、
前記第１積算カウンタの出力と所定値との商及び余りを固定小数点演算で生成する割算器と、
前記商を積算し、前記積算値を出力する第２積算カウンタと、を備えると共に、
前記第１積算カウンタは、前記余りを前記第１積算カウンタに格納することを特徴とする積算装置。
【請求項６】
前記第１積算カウンタの出力と所定値とを比較する比較器を備え、
前記第１積算カウンタの出力が前記所定値よりも小さいとき前記割算器に係る処理をキャンセルすることを特徴とする請求項５記載の積算装置。
【請求項７】
所定の時間毎に前記第１積算カウンタに格納される値をリセットするタイマを備えることを特徴とする請求項６記載の積算装置。
【請求項８】
前記タイマは前記比較器の出力に基づきクリアされることを特徴とする請求項７記載の積算装置。
【請求項９】
前記所定値は、前記積算値の表示分解能に基づく値とすることを特徴とする請求項５または請求項８の何れかに記載の積算装置。
【請求項１０】
物理量を検出して電気信号に変換し、前記電気信号の積算値を生成するフィールド機器の積算方法において、
第１積算カウンタに前記電気信号を固定小数点演算で積算するステップ、
前記第１積算カウンタの出力が所定値を越えることを比較器が判定するステップ、
第２積算カウンタが前記比較器の出力を積算すると共に前記積算値を出力し、前記第１積算カウンタが前記第１積算カウンタに格納される値から前記所定値を減算するステップ、
を備えることを特徴とする積算方法。
【請求項１１】
前記第２積算カウンタが前記比較器の出力を積算すると共に前記積算値を出力し、前記第１積算カウンタが前記第１積算カウンタに格納される値から前記所定値を減算するステップは、所定の時間毎に前記第１積算カウンタに格納される値をリセットするタイマをクリアするステップを備えることを特徴とする請求項１０記載の積算方法。
【請求項１２】
物理量を検出して電気信号に変換し、前記電気信号の積算値を生成するフィールド機器の積算方法において、
第１積算カウンタに前記電気信号を固定小数点演算で積算するステップ、
前記第１積算カウンタの出力と所定値との商及び余りを固定小数点演算で割算器が生成するステップ、
第２積算カウンタが前記商を積算すると共に前記積算値を出力し、前記第１積算カウンタが前記余りを前記第１積算カウンタに格納するステップ、
を備えることを特徴とする積算方法。
【請求項１３】
前記第２積算カウンタが前記商を積算すると共に前記積算値を出力し、前記第１積算カウンタが前記余りを前記第１積算カウンタに格納するステップは、所定の時間毎に前記第１積算カウンタに格納される値をリセットするタイマをクリアするステップを備えることを特徴とする請求項１２記載の積算方法。
【発明の詳細な説明】
【技術分野】
【０００１】
本発明は、物理量を検出して電気信号に変換し、前記電気信号の積算値を生成するフィールド機器の積算装置及び積算方法に関し、特に、電磁式水道メータに係る積算装置及び積算方法に関する。
【背景技術】
【０００２】
従来の微小流量カット機能付積算装置は、流量に対応したアナログ電気信号を積分してディジタル値にし、このディジタル値を積算する積算カウンタを設けるものもある（例えば特許文献１参照。）。
【０００３】
そして、例えば、従来の電磁式水道メータは、水の流量を検出して、アナログの電気信号を積分してディジタル値にし、このディジタル値を積算して積算値を生成し、この積算値を表示する。
【０００４】
そしてまた、このような従来の積算装置の積算カウンタは、浮動小数点の演算により、積算の演算を実行する。
【０００５】
【特許文献１】特許２８９５８７０号公報
【発明の開示】
【発明が解決しようとする課題】
【０００６】
しかしながら、従来の積算装置は、浮動小数点の演算を実行するために、消費電力が大きく、演算速度が遅いという課題がある。
【０００７】
特に、フィールド機器では、低消費電力化が強く要求される。そして、低消費電力化のためには、低クロックで演算することが要求される。
【０００８】
本発明の目的は、以上説明した課題を解決するものであり、低消費電力、高速の積算装置及び積算方法を提供することにある。
【課題を解決するための手段】
【０００９】
このような目的を達成する本発明は、次の通りである。
（１）物理量を検出して電気信号に変換し、前記電気信号の積算値を生成するフィールド機器の積算装置において、クロックに基づき前記電気信号を固定小数点演算で積算する第１積算カウンタと、前記第１積算カウンタの出力が所定値を越えることを判定する比較器と、前記比較器の出力を積算し、前記積算値を出力する第２積算カウンタと、を備えると共に、前記第１積算カウンタは、前記第１積算カウンタの出力が前記所定値を越えるとき、前記第１積算カウンタに格納される値から前記所定値を減算することを特徴とする積算装置。
【００１０】
（２）所定の時間毎に前記第１積算カウンタに格納される値をリセットするタイマを備えることを特徴とする（１）記載の積算装置。
【００１１】
（３）前記第１積算カウンタは前記比較器の出力に基づき前記第１積算カウンタに格納される値から前記所定値を減算し、前記タイマは前記比較器の出力に基づきクリアされることを特徴とする（２）記載の積算装置。
【００１２】
（４）前記所定値は、前記積算値の表示分解能に基づく値とすることを特徴とする（１）または（３）の何れかに記載の積算装置。
【００１３】
（５）物理量を検出して電気信号に変換し、前記電気信号の積算値を生成するフィールド機器の積算装置において、クロックに基づき前記電気信号を固定小数点演算で積算する第１積算カウンタと、前記第１積算カウンタの出力と所定値との商及び余りを固定小数点演算で生成する割算器と、前記商を積算し、前記積算値を出力する第２積算カウンタと、を備えると共に、前記第１積算カウンタは、前記余りを前記第１積算カウンタに格納することを特徴とする積算装置。
【００１４】
（６）前記第１積算カウンタの出力と所定値とを比較する比較器を備え、前記第１積算カウンタの出力が前記所定値よりも小さいとき前記割算器に係る処理をキャンセルすることを特徴とする（５）記載の積算装置。
【００１５】
（７）所定の時間毎に前記第１積算カウンタに格納される値をリセットするタイマを備えることを特徴とする（６）記載の積算装置。
【００１６】
（８）前記タイマは前記比較器の出力に基づきクリアされることを特徴とする（７）記載の積算装置。
【００１７】
（９）前記所定値は、前記積算値の表示分解能に基づく値とすることを特徴とする（５）または（８）の何れかに記載の積算装置。
【００１８】
（１０）物理量を検出して電気信号に変換し、前記電気信号の積算値を生成するフィールド機器の積算方法において、第１積算カウンタに前記電気信号を固定小数点演算で積算するステップ、前記第１積算カウンタの出力が所定値を越えることを比較器が判定するステップ、第２積算カウンタが前記比較器の出力を積算すると共に前記積算値を出力し、前記第１積算カウンタが前記第１積算カウンタに格納される値から前記所定値を減算するステップ、を備えることを特徴とする積算方法。
【００１９】
（１１）前記第２積算カウンタが前記比較器の出力を積算すると共に前記積算値を出力し、前記第１積算カウンタが前記第１積算カウンタに格納される値から前記所定値を減算するステップは、所定の時間毎に前記第１積算カウンタに格納される値をリセットするタイマをクリアするステップを備えることを特徴とする（１０）記載の積算方法。
【００２０】
（１２）物理量を検出して電気信号に変換し、前記電気信号の積算値を生成するフィールド機器の積算方法において、第１積算カウンタに前記電気信号を固定小数点演算で積算するステップ、前記第１積算カウンタの出力と所定値との商及び余りを固定小数点演算で割算器が生成するステップ、第２積算カウンタが前記商を積算すると共に前記積算値を出力し、前記第１積算カウンタが前記余りを前記第１積算カウンタに格納するステップ、
を備えることを特徴とする積算方法。
【００２１】
（１３）前記第２積算カウンタが前記商を積算すると共に前記積算値を出力し、前記第１積算カウンタが前記余りを前記第１積算カウンタに格納するステップは、所定の時間毎に前記第１積算カウンタに格納される値をリセットするタイマをクリアするステップを備えることを特徴とする（１２）記載の積算方法。
【発明の効果】
【００２２】
以上説明したことから明らかなように、本発明によれば次のような効果がある。
本発明によれば、低消費電力、高速の積算装置及び積算方法を提供できる。また、本発明によれば、低クロックで演算可能な積算装置及び積算方法を提供できる。
【００２３】
さらに、本発明によれば、低消費電力、高速であると共に、ローカット機能を有する簡便で好適な積算装置及び積算方法を提供できる。
【発明を実施するための最良の形態】
【００２４】
以下に図１に基づいて本発明を詳細に説明する。図１は、本発明の一実施例を示す構成図である。
【００２５】
図１の実施例における第１の特徴は、第１積算カウンタである積算カウンタ１２と、比較器１３と、第２積算カウンタである積算カウンタ１６とを備える点にある。
また、図１の実施例における第２の特徴は、ローカット機能に基づく、タイマ１９を備える点にある。
【００２６】
図１の実施例の構成を説明する。
センサ１０は、物理量を検出する。例えば、センサ１０は、水の流量を検出する。
【００２７】
また、アナログディジタル変換器（Ａ／Ｄ）１１はセンサ１０の出力である信号Ａに接続する。そして、アナログディジタル変換器１１はアナログの信号Ａをデジタルの信号Ｂに変換する。
【００２８】
さらに、積算カウンタ１２は信号Ｂに接続する。そして、積算カウンタ１２は信号Ｂを固定小数点演算で積算し、信号Ｃを出力する。
【００２９】
詳しくは、積算カウンタ１２は記憶手段（図示せず）を備える。そして、信号Ｂとこの記憶手段に格納された値（積算カウンタ１２に格納される値）との和を演算し、その和の値をこの記憶手段に格納する。
【００３０】
また、比較器１３の非反転入力は信号Ｃに接続し、比較器１３の反転入力は所定値記憶手段１４の出力である所定値Ｒに接続する。そして、比較器１３は信号Ｃと所定値Ｒとを比較し、信号Ｃが所定値Ｒを越えることを判定する。
【００３１】
さらに、積算カウンタ１６は比較器１３の出力である信号Ｄに接続する。そして、積算カウンタ１６は、積算カウンタ１２と同様に、信号Ｄを積算する。
【００３２】
そして、積算カウンタ１６の出力である信号Ｅは、マイクロプロセッサ（ＣＰＵ）１７を介して、表示器１８に接続される。さらにまた、表示器１８は、信号Ｅを所定の形式で表示する。
【００３３】
また、スイッチ１５の一端は所定値Ｒに接続し、スイッチ１５の他端は積算カウンタ１２に接続し、スイッチ１５の制御端子は信号Ｄに接続する。さらに、スイッチ１５の他端と積算カウンタ１２との接続点の値を信号Ｓとする。
【００３４】
そして、積算カウンタ１２は、積算カウンタ１２に格納される値から信号Ｓを減算する。
【００３５】
さらに、タイマ１９は信号Ｄに接続する。そして、タイマ１９の出力である信号Ｔは積算カウンタ１２に接続する。そして、タイマ１９は、所定の時間毎に信号Ｔを発生し、積算カウンタ１２に格納される値をリセットする。
【００３６】
また、所定値Ｒは、表示器１８の表示分解能に基づく値とする。
【００３７】
まず、図１の実施例の積算動作を説明する。
例えば、水の流量がセンサ１０によって検出され、アナログの信号Ａとなり、そして、ディジタルの信号Ｂとなり、積算カウンタ１２に格納される値となる。また、クロックに基づいて、積算カウンタ１２に格納される値は、固定小数点演算で積算され、増加する。
【００３８】
そして、信号Ｃが所定値Ｒよりも小さいときは、信号Ｄはロウとなり、積算カウンタ１６に格納される値は一定となる。さらにまた、スイッチ１５はオフとなり、信号Ｓはゼロとなる。
【００３９】
そしてまた、信号Ｃが所定値Ｒを越えると、信号Ｄはハイとなり、積算カウンタ１６に格納される値は、積算され、増加する。さらに、スイッチ１５はオンとなり、信号Ｓは所定値Ｒとなる。そして、積算カウンタ１６に格納される値から所定値Ｒが減算され、信号Ｃは所定値Ｒよりも小さくなる。
【００４０】
このようにして、積算カウンタ１６に格納される値は、水の流量の積算値に相当する値となる。また、この積算値に相当する値は表示器１８に表示される。
【００４１】
したがって、図１の実施例は、物理量を検出して電気信号に変換し、浮動小数点の演算を使わずに、この電気信号の積算値を生成できる。
【００４２】
この結果、図１の実施例の消費電力は小さくなる。また、図１の実施例は高速に積算値を生成でき、その積算値を表示できる。
【００４３】
次に、図１の実施例のローカット動作を説明する。
例えば、水の流量が非常に小さいとき信号Ｃは微増するが、信号Ｃが所定値Ｒとなる前にタイマ１９は信号Ｔを発生し、積算カウンタ１２に格納される値をリセットする。このため、信号Ｃは所定値Ｒよりも大きくならず、信号Ｄは常にロウとなり、積算カウンタ１６に格納される値は一定となる。さらにまた、スイッチ１５はオフとなり、信号Ｓはゼロとなる。
【００４４】
したがって、図１の実施例は、検出する物理量が所定の値よりも小さいときは、積算しない。このため、図１の実施例は、ノイズ等に影響を受けず安定に動作できる。また、図１の実施例は、簡便に形成できる。
【００４５】
さらにまた、タイマ１９は比較器１３の出力である信号Ｄに基づきクリアされる。即ち、信号Ｃが所定値Ｒを越えると、信号Ｄはハイとなり、タイマ１９はクリアされ、所定の状態となる。このように、タイマ１９が信号Ｄに基づきクリアされると、上述のローカット動作が、確実に所定の時間毎に作用する。
【００４６】
また、上述する図１の実施例の動作において、比較器１３が積算カウンタ１２の動作に対応して動作すれば、図１の実施例の特性におけるリアルタイム性が向上し好適な特性となる。
【００４７】
さらに、上述する図１の実施例の動作において、比較器１３の動作、即ち、信号Ｄに基づき、図１の実施例内の電源（図示せず）をオンオフするようにすれば、図１の実施例を一層、低消費電力化できる。
【００４８】
以下に、図１の実施例の動作を図２のフローチャートを用いて説明する。図２は、図１の実施例のフローチャートである。また、図１の実施例は、クロック（図示せず）に基づき順次動作する。
【００４９】
まず、ステップ１２において、積算カウンタ１２は、信号Ｂを積算するステップを実行する。
【００５０】
次に、ステップ１３において、比較器１３は、積算カウンタ１２の出力である信号Ｄが所定値Ｒを越えることを判定するステップを実行する。
【００５１】
そして、信号Ｄが所定値Ｒを越えるときはステップＳ１４を実行し、信号Ｄが所定値Ｒを越えないときはステップＳ１７（終了）を実行する。
【００５２】
また、その次に、ステップＳ１４において、積算カウンタ１６は、信号Ｄを積算するステップを実行する。
【００５３】
さらに、その次に、ステップＳ１５において、積算カウンタ１２は、積算カウンタ１２に格納される値から所定値Ｒを減算するステップを実行する。
【００５４】
また、その次に、ステップＳ１６において、タイマ１９をクリアするステップを実行する。
【００５５】
このようにして、積算カウンタ１６に格納される値は、検出する物理量の積算値に相当する値となる。したがって、図１の実施例は、浮動小数点の演算を使わずに、検出する物理量に相当する積算値を生成できる。
【００５６】
また、上述の例とは別に、図２のフローチャートにおいて、例えば、ステップＳ１６を削除する場合、または、ステップＳ１６とステップＳ１５との順序を入れ換える場合においても、同様の作用及び効果が得られる。
【００５７】
以下に図３に基づいて本発明を詳細に説明する。図３は、本発明の他の実施例を示す構成図である。なお、図１の実施例と同一（同等）の要素には同一（同等）符号を付し、説明を省略する。
【００５８】
図３の実施例における第１の特徴は、第１積算カウンタである積算カウンタ２２と、割算器２１と、第２積算カウンタである積算カウンタ２６とを備える点にある。
【００５９】
また、図３の実施例における第２の特徴は、比較器２３を備える点にある。
さらに、図３の実施例における第３の特徴は、ローカット機能に基づく、タイマ２９を備える点にある。
【００６０】
図３の実施例の構成を説明する。
図３の実施例の積算カウンタ２２は、図１の実施例の積算カウンタ１２と同様に、信号Ｂに接続する。そして、積算カウンタ２２は信号Ｂを固定小数点演算で積算し、信号Ｇを出力する。
【００６１】
また、割算器２１は、信号Ｇと、所定値記憶手段２４の出力である所定値Ｋとに接続する。そして、割算器２１は、信号Ｇと所定値Ｋとの割算を固定小数点演算で実行し、信号Ｇと所定値Ｋとの商Ｈと信号Ｇと所定値Ｋとの余りＪとを生成する。さらにまた、余りＪは積算カウンタ２２に接続する。
【００６２】
さらに、積算カウンタ２６は商Ｈに接続する。そして、積算カウンタ２６は、積算カウンタ２２と同様に、商Ｈを積算する。
【００６３】
そして、図３の実施例における積算カウンタ２６の出力は、図１の実施例における積算カウンタ１６の出力と同様に、表示器等（図示せず）に接続される。
【００６４】
また、比較器２３の非反転入力は信号Ｇに接続し、比較器２３の反転入力は所定値Ｋに接続し、比較器２３の出力の信号Ｌは割算器２１に接続する。そして、比較器２３は信号Ｇと所定値Ｋとを比較し、信号Ｇが所定値Ｋを越えることを判定する。
【００６５】
さらに、タイマ２９は信号Ｌに接続する。そして、タイマ２９の出力である信号Ｍは積算カウンタ２２に接続する。そして、タイマ２９は、所定の時間毎に信号Ｔを発生し、積算カウンタ２２に格納される値をリセットする。
【００６６】
第１に、図３の実施例の積算動作を説明する。
例えば、水の流量がセンサ１０によって検出され、アナログの信号Ａとなり、そして、ディジタルの信号Ｂとなり、積算カウンタ２２に格納される値となる。また、クロックに基づいて、積算カウンタ１２に格納される値は、固定小数点演算で積算され、増加する。
【００６７】
そして、信号Ｇと所定値Ｋとの商Ｈが発生すると、積算カウンタ２６に格納される値は、積算され、増加する。即ち、信号Ｇが所定値Ｋよりも大きいとき、信号Ｇと所定値Ｋとの商Ｈは１以上となり、積算カウンタ２６に格納される値は、積算され、増加する。
【００６８】
また、信号Ｇが所定値Ｋよりも小さいとき、信号Ｇと所定値Ｋとの商Ｈはゼロとなり、積算カウンタ２６に格納される値は一定となる。
【００６９】
そして、積算カウンタ２２は、信号Ｇと所定値Ｋとの余りＪを積算カウンタ２２に格納する。そしてまた、この積算カウンタ２２に格納される値は、クロックに基づいて、固定小数点演算で積算され、増加する。
【００７０】
このようにして、積算カウンタ２６に格納される値は、水の流量の積算値に相当する値となる。
したがって、図３の実施例は、図１の実施例と同様に、物理量を検出して電気信号に変換し、浮動小数点の演算を使わずに、この電気信号の積算値を生成できる。
【００７１】
第２に、比較器２３に係る動作について説明する。
信号Ｇが所定値Ｋよりも小さいとき、信号Ｌはロウとなり、割算器２１に係る処理はキャンセルされる。また、信号Ｇが所定値Ｋよりも大きいとき、信号Ｌはハイとなり、割算器２１に係る処理は実行される。
【００７２】
即ち、信号Ｇが所定値Ｋよりも小さいとき、割算器２１を実行して商Ｈをゼロとするのではなく、割算器２１自身の動作を実行しないようにする。
このことにより、図３の実施例は、一層、低消費電力、高速にできる。
【００７３】
第３に、図３の実施例のローカット動作を説明する。
例えば、水の流量が非常に小さいとき信号Ｃは微増するが、信号Ｃが所定値Ｒとなる前にタイマ１９は信号Ｔを発生し、積算カウンタ１２に格納される値をリセットする。このため、信号Ｇは所定値Ｋよりも大きくならず、信号Ｌは常にロウとなり、割算器２１に係る処理はキャンセルされ、積算カウンタ２６に格納される値は一定となる。
【００７４】
したがって、図３の実施例は、図１の実施例と同様に、検出する物理量が所定の値よりも小さいときは、積算しない。このため、図３の実施例は、図１の実施例と同様に、ノイズ等に影響を受けず安定に動作できる。
【００７５】
さらにまた、図３の実施例のタイマ２９は、図１の実施例のタイマ１９と同様に、比較器２３の出力である信号Ｌに基づきクリアされる。そして、ローカット動作が、確実に所定の時間毎に作用する。
【００７６】
また、上述する図３の実施例の動作において、比較器２３が積算カウンタ２２の動作に対応して動作すれば、図３の実施例の特性におけるリアルタイム性が向上し好適な特性となる。
【００７７】
さらに、上述する図３の実施例の動作において、比較器２３の動作、即ち、信Ｇに基づき、図３の実施例内の電源（図示せず）をオンオフするようにすれば、図３の実施例を一層、低消費電力化できる。
【００７８】
以下に、図３の実施例の動作を図４のフローチャートを用いて説明する。図４は、図３の実施例のフローチャートである。また、図３の実施例は、クロック（図示せず）に基づき順次動作する。
【００７９】
まず、ステップ２２において、積算カウンタ２２は、信号Ｂを積算するステップを実行する。
【００８０】
次に、ステップ２３において、比較器２３は、積算カウンタ２２の出力である信号Ｇが所定値Ｋを越えることを判定するステップを実行する。
【００８１】
そして、信号Ｇが所定値Ｒを越えるときはステップＳ２４を実行し、信号Ｇが所定値Ｋを越えないときはステップＳ２６（終了）を実行する。
【００８２】
また、その次に、ステップＳ２４において、割算器２１は、信号Ｇと所定値Ｋとの割算を固定小数点演算で実行して商及び余りを生成するステップを実行する。
そして、積算カウンタ２６が商Ｈを積算し、積算カウンタ２２が余りＪを積算カウンタ２２に格納するステップを実行する。
【００８３】
さらに、その次に、ステップＳ２５において、タイマ２９をクリアするステップを実行する。
【００８４】
このようにして、積算カウンタ２６に格納される値は、検出する物理量の積算値に相当する値となる。したがって、図３の実施例は、浮動小数点の演算を使わずに、検出する物理量に相当する積算値を生成できる。
【００８５】
また、上述の例とは別に、図４のフローチャートにおいて、例えば、ステップＳ２５を削除する場合、または、ステップＳ２５とステップＳ２４との順序を入れ換える場合においても、同様の作用及び効果が得られる。
【００８６】
さらに、本発明は、あらゆるフィールド機器に適用できる。また、本発明は、特に、電磁式水道メータの積算装置及び積算方法に好適な特性となる。
【００８７】
以上のように、本発明は、前述の実施例に限定されることなく、その本質を逸脱しない範囲でさらに多くの変更及び変形を含むものである。
【図面の簡単な説明】
【００８８】
【図１】本発明の一実施例を示す構成図である。
【図２】図１の実施例のフローチャートである。
【図３】本発明の他の実施例を示す構成図である。
【図４】図３の実施例のフローチャートである。
【符号の説明】
【００８９】
１０  センサ
１１  アナログディジタル変換器（Ａ／Ｄ）
１２，１６，２６  積算カウンタ
１３，２３  比較器
１４，２４  所定値記憶手段
１５  スイッチ
１９，２９  タイマ
２１  割算器
【図１】
2005265426.tif 000003
【図２】
2005265426.tif 000004
【図３】
2005265426.tif 000005
【図４】
2005265426.tif 000006